(57)【要約】【課題】シュレッダー用接触安全保護装置の提供。【解決手段】書類細断機械部１制御の機能回路部３１と導通タッチパネル３２を備えるシュレッダー用接触安全保護装置で、機能回路部３１は電源ユニット３３、モータ駆動回路ユニット２、制御回路ユニット３、接触検出回路ユニット４を含み、制御回路ユニット３はモータ駆動回路ユニット２を介し書類細断機械部１に接続されると共に接触検出回路ユニット４を介して導通タッチパネル３２に接続され、電源ユニット３３は制御回路ユニット３とモータ駆動回路ユニット２に接続され、接触検出回路ユニット４は人体のバイオ電流を検知するバイオ電圧制御スイッチ回路３４と接地スイッチ回路３５とを含み、バイオ電圧制御スイッチ回路３４は導通タッチパネル３２に、制御スイッチ回路３は接地スイッチ回路３５に、接地スイッチ回路３５は制御回路ユニット３に、接続されている。【選択図】図２
2008207059.tif 000002
【特許請求の範囲】
【請求項１】
シュレッダーの書類細断機械部を操作制御する機能回路部と、シュレッダーの書類投入口に設置された導通タッチパネルとを備えてなるシュレッダー用接触安全保護装置であって、
前記機能回路部は、電源ユニットと、モータ駆動回路ユニットと、制御回路ユニットと、接触検出回路ユニットとを含み、
前記制御回路ユニットは、モータ駆動回路ユニットを介して書類細断機械部に接続されると共に、接触検出回路ユニットを介して導通タッチパネルに接続され、前記電源ユニットは該制御回路ユニットとモータ駆動回路ユニットのそれぞれに接続され、、
前記接触検出回路ユニットは人体のバイオ電流を検知するバイオ電圧制御スイッチ回路と接地スイッチ回路とを含み、前記バイオ電圧制御スイッチ回路の入力制御端子は前記導通タッチパネルに接続され、制御スイッチ回路の出力端子は前記接地スイッチ回路の入力制御端子に接続され、該接地スイッチ回路の出力端子は前記制御回路ユニットの入力制御端子に接続されていることを特徴とするシュレッダー用接触安全保護装置。
【請求項２】
前記バイオ電圧制御スイッチ回路は、スイッチトランジスタ回路であることを特徴とする請求項１に記載のシュレッダー用接触安全保護装置。
【請求項３】
前記バイオ電圧制御スイッチ回路は、第１スイッチトリオードを含み、該第１スイッチトリオードのベース電極は第１抵抗を介して前記導通タッチパネルに接続され、ベース電極は第１キャパシタに並列接続の第２抵抗を介して接地され、第１スイッチトリオードのコレクタは電源に接続され、そのエミッタは第２キャパシタに並列接続の第３抵抗を介して接地され、エミッタは接地スイッチ回路の入力制御端子に接続されていることを特徴とする請求項２に記載のシュレッダー用接触安全保護装置。
【請求項４】
前記第１スイッチトリオードのコレクタは、並列接続の電源表示ＬＥＤと接触表示ＬＥＤを介して電源に接続されていることを特徴とする請求項３に記載のシュレッダー用接触安全保護装置。
【請求項５】
前記接地スイッチ回路は、スイッチトランジスタ回路であることを特徴とする請求項１乃至４のいずれか一項に記載のシュレッダー用接触安全保護装置。
【請求項６】
前記接地スイッチ回路は、第２スイッチトリオードを含み、該第２スイッチトリオードのベース電極は前記バイオ電圧制御スイッチ回路の出力端子に接続され、第２スイッチトリオードのエミッタは接地され、そのコレクタは前記制御回路ユニットの入力制御端子に接続されていることを特徴とする請求項５に記載のシュレッダー用接触安全保護装置。
【請求項７】
前記第２スイッチトリオードのコレクタは、第４抵抗を介して電源に接続され、コレクタは光カプラを介して前記制御回路ユニットの入力制御端子に接続されていることを特徴とする請求項６に記載のシュレッダー用接触安全保護装置。
【請求項８】
前記制御回路ユニットは、さらに書類投入検出回路ユニットに接続され、該書類投入検出回路ユニットはＬＥＤと光依存ダイオードとを含み、前記ＬＥＤの光放出部分は光依存ダイオードの光感知部分に対応していて、それぞれがシュレッダーの書類投入口の向き合う側の壁に置かれていることを特徴とする請求項１乃至４のいずれか一項に記載のシュレッダー用接触安全保護装置。
【請求項９】
前記制御回路ユニットは、さらに過負荷保護回路ユニットに接続されていることを特徴とする請求項１乃至４のいずれか一項に記載のシュレッダー用接触安全保護装置。
【請求項１０】
前記制御ユニットは、さらにモータ逆走行検出回路ユニットに接続されていることを特徴とする請求項１乃至４のいずれか一項に記載のシュレッダー用接触安全保護装置。
【請求項１１】
請求項１乃至４の１つに記載の書類細断機用接触安全保護装置において、前記電源ユニットは、電源インタフェース回路と、安全スイッチと、フューズと、制御スイッチと、制御回路用電源回路と、書類細断機能スイッチとを含み、
前記電源インタフェース回路は、安全スイッチ、フューズ、制御スイッチおよび書類細断機能スイッチのそれぞれを介して前記モータ駆動回路ユニットに接続され、
前記フューズは、制御回路用電源回路を介して前記制御回路ユニットに接続されていることを特徴とする請求項１乃至４のいずれか一項に記載のシュレッダー用接触安全保護装置。
【請求項１２】
前記制御スイッチはリレースイッチの一種であることを特徴とする請求項１１に記載のシュレッダー用接触安全保護装置。
【請求項１３】
請求項１乃至１２のいずれか一項に記載のシュレッダー用接触安全保護装置と、書類を細断する書類細断機械部と、該書類細断機械部により細断された書類細断物を収容する収容箱と、を備えてなるシュレッダー。
【発明の詳細な説明】
【技術分野】
【０００１】
本発明は事務機器分野に関し、特にオフィスのシュレッダーの安全制御技術に関し、詳しくはシュレッダー用接触安全保護装置およびこれを備えたシュレッダーに関するものである。
【背景技術】
【０００２】
種々の事務オートメーション機器は現代生活においてますます普及化しており、その最も一般的なものが書類細断に利用され、従って取引上の機密安全保護に役立っている書類細断機（ｐａｐｅｒ−ｂｒｅａｋｅｒ）、すなわちシュレッダーである。このシュレッダーは事業所等のほか現在、家庭でも広く使用されている。
【０００３】
ところで一般的なシュレッダーは電源投入時または電源切断前は自動誘導状態（ａｕｔｏ−ｉｎｄｕｃｔｉｖｅ  ｓｔａｔｅ）に置かれているため、何らかの物体が挿入されると、書類投入口が自動的に動作し、物体の細断が行なわれることになる。
【０００４】
そのため従来の書類細断機に、異物や人体が入り込むと、書類細断機が損傷され、結果的に人体障害を引き起こすことさえある。
【０００５】
一方、安全装置として屑箱が引き出されたときに、刃物の回転動作を自動的に停止するシュレッダーの安全機構が提案されている（例えば、特許文献１）。
【０００６】
しかし上記特許文献１に記載の安全機構は、屑箱の取り出しの際に操作片により電源の遮断によって刃物の回転動作を停止して安全な屑回収を図るもので、書類投入口の安全確保を図るものではない。
【特許文献１】特開平９−７０５５２号公報  また上記特許文献１の安全機構を更に進めたものとして、現在、図１に示すような人体接触検出機能を備えたシュレッダーが開発されている。このシュレッダーにおける各ユニットは次のような働きをしている。
【０００７】
図１に示すように、（１）ＳＷ２は極性切り換えスイッチであり、電源の通電線と接地線は切り換え可能になっている。（２）抵抗Ｒ１２、Ｒ１３、キャパシタＣ３、Ｃ２、ダイオードＤ１１、Ｄ１２、Ｄ１３、Ｄ１４、Ｄ１５、Ｄ６はリレー電源（２４Ｖ）回路を構成している。（３）ダイオードＤ６、Ｄ７およびキャパシタＣ１は電圧検出チップＵ１の電源回路からなり、電源の正極は電源の通電線になっている。
【０００８】
また（４）リレースイッチＲＬＹ−１、ダイオードＤ２、トリオードＱ１、抵抗Ｒ５、Ｒ２７、Ｒ６および光カプラＵ５は装置動作電源回路を構成している。（５）ダイオードＤ１、Ｄ８、Ｄ２１、温度制御表示ライト（オレンジ）、トリオードＱ４、抵抗Ｒ４、Ｒ１４、Ｒ１１およびモータ温度制御スイッチは温度制御表示回路を構成している。（６）フューズＦ１、スイッチＲＬＹ１、モータ、機能スイッチおよびモータ温度制御スイッチはモータ動作回路を構成し、モータ走行方向は機能スイッチ位置に対応している。（７）電源、抵抗Ｒ７、Ｒ１、Ｒ９、Ｒ２、Ｒ８、Ｒ１０、ダイオードＤ２０、Ｄ１６、Ｄ４、Ｄ５、Ｄ９、Ｄ１０、トリオードＱ２、Ｑ３、電圧検出チップＵ１の第５レグはＬＥＤライト表示回路を構成している。（８）パネルメタル部分、抵抗Ｒ２０、Ｒ１９、Ｒ２１、Ｒ２２、キャパシタＣ８およびダイオードＤ１９、Ｄ１８は接触検出回路を構成している。
【０００９】
上記構成の下、機能スイッチが非閉鎖位置にある場合は、ドラムはシュレッダーから切り離され、磁気スプリングスイッチはオフにされ、電圧検出チップＵ１の第１レグは磁気スプリングスイッチオフの信号を検出し、電圧検出チップＵ１の第５レグは高レベルになり、Ｑ３、Ｑ２はオフにされる。
【００１０】
そして電源表示ライト、Ｒ７、接触表示ライト、Ｒ８、Ｄ９およびモータ温度制御スイッチはループを形成している。電源表示ライトと接触表示ライトはスイッチオンになる。そのときＵ１の第６レグは同時に高レベルになり、ベース電極が正電圧でない場合トリオードは作動しないので、シュレッダーは動作しない。ドラムがシュレッダーと一体になっている場合（つまり、磁気スプリングスイッチが閉じている）、Ｕ１の第５レグは低レベルになり、Ｑ３、Ｑ２はオン、電源表示ライトはオン、Ｕ１の第６レグは低レベルになり、Ｑ１はオンになり、リレーが閉じる。
【００１１】
機能スイッチが逆走行位置にある場合は、シュレッダーは逆方向に走行する。機能スイッチが書類細断位置にある場合は、シュレッダーは書類を細断し（書類投入信号はオン）、シュレッダーは待機状態（書類投入信号はオフ）になる。シュレッダーが動作状態にある場合、手、メタル部分または動物がシュレッダーの上部カバーのメタル部分に接触すると、電源によってＲ２１、Ｒ１９、Ｒ２０を通して人体またはメタルを通るループが形成され、Ｕ１の第８レグは低レベルになり、Ｕ１の第５と第６レグは高レベルになる。
【００１２】
すなわち（Ａ）Ｕ１の第６レグが高レベルの場合、Ｑ１はオフになり、電源はスイッチオフされ、モータは停止される。（Ｂ）Ｕ１の第５レグがハイレベルの場合、Ｑ２とＱ３はオフになり、接触保護表示ライト（オレンジ）はオンになる。（Ｃ）手、メタル部分または動物が装置の上部カバーのメタル部分から離されると、シュレッダーは直ちに通常動作を再開する。
【００１３】
機能スイッチが閉位置にある場合は、シュレッダーは作動しない。
【００１４】
このように導通タッチパネルが書類細断機の書類投入口に設置され、回路は人体からＡＣ（電源）に導通することによって制御されて接触保護目的が達成されるので、および電源は２個の２．２ＭΩ抵抗を通して供給されるので、人体に流れる電流は人体に障害を与えないように減少されている。
【００１５】
しかしながらこの安全技術も、導通タッチパネルの状態をリアルタイムでモニタするには感知電圧検出ＩＣユニットが必要であり、さらにＩＣユニットの安定性と感知性を向上する必要があるため、長期間使用し、回路が老朽化すると、検出機能が低下することになど改良の余地がある。
【発明の開示】
【発明が解決しようとする課題】
【００１６】
本発明は従来技術の欠点を解消し、人体に流れるバイオ電流をリアルタイムでモニタリングを行なうことができ、制御は単純な回路構成と高信頼の動作性能で安全にかつ高感度で行なわれ、機能が安全で使用範囲の広い書類細断機用接触安全保護装置を提供することを課題にしている。
【課題を解決するための手段】
【００１７】
上記目的を達成するために、本発明による書類細断機用接触安全保護装置は次のような構成になっている。
【００１８】
シュレッダー用接触安全保護装置は、シュレッダーの書類細断機械部を操作制御する機能回路部と、シュレッダーの書類投入口に設置された導通タッチパネルとを備えてなるシュレッダー用接触安全保護装置であって、前記機能回路部は、電源ユニットと、モータ駆動回路ユニットと、制御回路ユニットと、接触検出回路ユニットとを含み、前記制御回路ユニットは、モータ駆動回路ユニットを介して書類細断機械部に接続されると共に、接触検出回路ユニットを介して導通タッチパネルに接続され、前記電源ユニットは該制御回路ユニットとモータ駆動回路ユニットのそれぞれに接続され、前記接触検出回路ユニットは人体のバイオ電流を検知するバイオ電圧制御スイッチ回路と接地スイッチ回路とを含み、前記バイオ電圧制御スイッチ回路の入力制御端子は前記導通タッチパネルに接続され、制御スイッチ回路の出力端子は前記接地スイッチ回路の入力制御端子に接続され、該接地スイッチ回路の出力端子は前記制御回路ユニットの入力制御端子に接続されていることを本的特徴としている。
【００１９】
シュレッダー用接触安全保護装置によるバイオ電圧制御スイッチ回路は、スイッチトランジスタ回路とすることができる。
【００２０】
またシュレッダー用接触安全保護装置によるバイオ電圧制御スイッチ回路は、第１スイッチトリオードを含み、該第１スイッチトリオードのベース電極は第１抵抗を介して前記導通タッチパネルに接続され、ベース電極は第１キャパシタに並列接続された第２抵抗を介して接地され、第１スイッチトリオードのコレクタは電源に接続され、そのエミッタは第２キャパシタに並列接続された第３抵抗を介して接地され、エミッタは接地スイッチ回路の入力制御端子に接続されている。
【００２１】
またシュレッダー用接触安全保護装置による第１スイッチトリオードのコレクタは並列接続の電源表示ＬＥＤと接触表示ＬＥＤを介して電源に接続されている。
【００２２】
シュレッダー用接触安全保護装置による接地スイッチ回路はスイッチトランジスタ回路とすることができる。
【００２３】
そしてシュレッダー用接触安全保護装置による接地スイッチ回路は第２スイッチトリオードを含み、該第２スイッチトリオードのベース電極は前記バイオ電圧制御スイッチ回路の出力端子に接続され、第２スイッチトリオードのエミッタは接地され、そのコレクタは前記制御回路ユニットの入力制御端子に接続されている。
【００２４】
またシュレッダー用接触安全保護装置による第２スイッチトリオードのコレクタは第４抵抗を介して電源に接続され、コレクタは光カプラを介して前記制御回路ユニットの入力制御端子に接続されている。
【００２５】
シュレッダー用接触安全保護装置による制御回路ユニットは、さらに書類投入検出回路ユニットに接続され、該書類投入検出回路ユニットはＬＥＤと光依存ダイオードを含み、前記ＬＥＤの光放出部分は光依存ダイオードの光感知部分に対応していて、それぞれが書類細断機の書類投入通路の向き合う側の壁に置かれている。
【００２６】
シュレッダー用接触安全保護装置による制御回路ユニットは、さらに過負荷保護回路ユニットに接続されている。
【００２７】
シュレッダー用接触安全保護装置による制御ユニットは、さらにモータ逆走行検出回路ユニットに接続されている。
【００２８】
シュレッダー用接触安全保護装置による電源ユニットは、電源インタフェース回路と、安全スイッチと、フューズと、制御スイッチと、制御回路用電源回路と、書類細断機能スイッチとを含み、前記電源インタフェース回路は安全スイッチ、フューズ、制御スイッチおよび書類細断機能スイッチのそれぞれを介して前記モータ駆動回路ユニットに接続され、前記フューズは制御回路用電源回路を介して前記制御回路ユニットに接続されている。
【００２９】
シュレッダー用接触安全保護装置による制御スイッチはリレースイッチとすることができる。
【００３０】
また本発明がさらに提案するのは、上記のシュレッダー用接触安全保護装置と、書類を細断する書類細断機械部と、該書類細断機械部により細断された書類細断物を収容する収容箱と、を備えてなるシュレッダーである。
【発明の効果】
【００３１】
本発明によるシュレッダー用接触安全保護装置では、直列接続のバイオ電圧制御スイッチ回路と接地スイッチ回路が設けられ、このバイオ電圧制御スイッチ回路の入力制御端子はシュレッダーの書類投入口に置かれた導通タッチパネルに接続され、制御スイッチ回路の出力端子は前記接地スイッチ回路の入力制御端子に接続され、接地スイッチ回路の出力端子は前記制御回路ユニットの入力制御端子に接続されているので、人体が導通タッチパネルと接触した場合、バイオ電圧制御スイッチ回路と接地スイッチ回路は共に人体のバイオ電流によって導通して制御回路ユニットを停止する。
【００３２】
したがってたとえ電源スイッチがオンにされても、書類細断機械部は作動せず、人体を事故による障害から保護し、リアルタイムでモニタリングすることが可能になり、制御全体は単純な回路構成と信頼性のある操作性能によって安全かつ高感度で行なわれ、取り扱いやすく機能し、安全と共に幅広い利用が可能である。
【００３３】
本発明によるシュレッダー用接触安全保護装置を備えたシュレッダーは、シュレッダーの書類投入口に置かれた導通タッチパネルに人体が触れることにより、その作動を停止するので、人体保護の安全性が高いシュレッダーを提供することができる。
【発明を実施するための最良の形態】
【００３４】
以下、本発明を実施するための最良の形態としての実施例について、添付図面を参照して説明する。
【実施例１】
【００３５】
図２、図３及び図５を参照して本発明に係るシュレッダー用接触安全保護装置の第１の実施例について説明する。
【００３６】
図２は本発明に係るシュレッダー用接触安全保護装置を含むブロック構成図、図３は本発明に係るシュレッダー用接触安全保護装置の第１の実施例の回路原理図、図５は本発明に係るシュレッダー用接触安全保護装置の制御を示すフローチャートである。
【００３７】
図２に示すように、シュレッダー用接触安全保護装置は、書類細断機械部１、シュレッダーの書類細断機械部１を操作制御する機能回路部３１（図２中鎖線で表示）と、シュレッダーの書類投入口に設置された導通タッチパネル３２とを備えて構成されている。
【００３８】
機能回路部３１は、電源ユニット３３（図２中破線で表示）と、モータ駆動回路ユニット２と、制御回路ユニット３と、接触検出回路ユニット４とを備えて構成されている。
【００３９】
そして電源ユニット３３は、電源インタフェース回路８１、安全スイッチ８２、フューズ８３、制御スイッチ８４、制御回路用電源回路８５と、書類細断機能スイッチ８６とを備えて構成されている。
【００４０】
制御回路ユニット３は、モータ駆動回路ユニット２を介して書類細断機械部１に接続され、さらに制御回路ユニット３は接触検出回路ユニット４を介して導通タッチパネル３２に接続されている。
【００４１】
制御スイッチ８４は、リレースイッチであり、安全スイッチ８２はゲートスイッチである。また電源インタフェース回路８１は、安全スイッチ８２、フューズ８３、制御スイッチ８４および書類細断機能スイッチ８６を介してモータ駆動回路ユニット２に接続されている。フューズ８３は、制御回路用電源回路８５を介して前記制御回路ユニット３に接続されている。
【００４２】
これらのうち接触検出回路ユニット４は、人体を流れる電流を導通タッチパネル３２を介して検出するバイオ電圧制御スイッチ回路３４と、接地スイッチ回路３５とを備えて構成されている。バイオ電圧制御スイッチ回路３４の入力制御端子は導通タッチパネル３２に接続され、バイオ電圧制御スイッチ回路３４の出力端子は接地スイッチ回路３５の入力制御端子に接続され、接地スイッチ回路３５の出力端子は制御回路ユニット３の入力制御端子に接続されている。
【００４３】
次に図３を参照して、本発明に係るシュレッダー用接触安全保護装置の第１の実施例の原理を回路図をもとに説明する。
【００４４】
図３に示すように（適宜図２参照して）、導通タッチパネル３２を介した人体電流の検出を行うバイオ電圧制御スイッチ回路３４は、スイッチトランジスタ回路であり、第１スイッチトリオードＱ４を含み、この第１スイッチトリオードＱ４のベース電極は第１抵抗Ｒ５を介して導通タッチパネル３２に接続され、ベース電極は第１キャパシタＣ７に並列接続の第２抵抗Ｒ６を介して接地され、第１スイッチトリオードＱ４のコレクタは電源ＶＣＣに接続され、そのエミッタは第２キャパシタＣ８に並列接続の第３抵抗Ｒ１６を介して接地され、エミッタは接地スイッチ回路３５の入力制御端子に接続されている。
【００４５】
図２、図３に示すように、接地スイッチ回路３５はスイッチトランジスタ回路であり、図３に示すように第２スイッチトリオードＱ２を含み、この第２スイッチトリオードのベース電極はバイオ電圧制御スイッチ回路３４の出力端子、すなわち、第１スイッチトリオードＱ４のエミッタに接続され、第２スイッチトリオードＱ２のエミッタは接地され、そのコレクタは第４抵抗Ｒ７を介して電源に接続され、コレクタは光カプラＵ１を介して前記制御回路ユニット３の入力制御端子に接続されている。
【００４６】
図２に示す制御回路ユニット３は、さらに書類投入検出回路ユニット５に接続され、図３において、書類投入検出回路ユニット５はＬＥＤ  ＩＴ１と光依存ダイオードＩＲ１を含み、このＬＥＤ  ＩＴ１の光放出部分は光依存ダイオードＩＲ１の光感知部分に対応しており、それぞれはシュレッダーの書類投入通路の向き合う側の壁に置かれている。
【００４７】
シュレッダー用接触安全保護装置による制御回路ユニット３はさらに過負荷保護回路ユニット６とモータ逆走行検出回路ユニット７に接続されている。
【００４８】
モータ駆動回路ユニット２の一方の端は、制御回路ユニット３に電気的に接続され、他方の端は書類細断機械部１に電気的に接続されて書類細断機が作動するように駆動する。また逆走行検出回路ユニット７の一方の端は、制御回路ユニット３に電気的に接続され、他方の端は書類細断機械部１に電気的に接続されて逆走行信号を検出し、この逆走行信号を前記制御回路ユニット３に送信して、制御回路ユニット３に書類細断機械部１の逆走行を制御させる。
【００４９】
書類投入検出回路ユニット５の一方の端は、制御回路ユニット３に電気的に接続され、他方の端は制御回路電源に電気的に接続されて書類投入信号をモニタする。書類が書類細断機械部１の入り口に入ると、書類投入検出回路ユニット５は書類投入信号を制御回路ユニット３に送信し、制御回路ユニット３の処理が終わると、モータ駆動回路ユニット２は導通し、書類細断機械部１が作動するように駆動する。
【００５０】
本発明に係るシュレッダー用接触安全保護装置の動作を図５を参照して説明すると、書類細断操作において、何らかの人体が書類投入口のタッチパネルに偶然に接触すると（Ｓ１１）、接触検出回路ユニット４によって信号が検出処理される（Ｓ１２）。そして人体信号が制御回路ユニット３に送信され、制御回路ユニット３はモータ駆動信号をスイッチオフする（Ｓ１３）。その後モータ駆動回路ユニット２を通じて書類細断機械部１は人体接触自動停止機能を実行するように停止される（Ｓ１４）。
【００５１】
人体が書類投入口のタッチパネルに接触していなければ、制御回路ユニット３は書類細断機械部１の通常動作を行なうようにモータ駆動回路ユニット２を制御し（Ｓ１５）、モータ駆動回路ユニット２は通常動作をすることになる（Ｓ１６）。
【００５２】
図３に示すように、本発明の第１実施例によれば、シュレッダー用接触安全保護装置およびこれを備えたシュレッダーは、（１）過負荷検出、（２）光作動書類細断、（３）書類細断、クローズおよび逆走行機能、（４）人体接触自動停止、の各機能を有している。
【００５３】
すなわち、制御回路用電源回路は抵抗−キャパシタを利用して電圧をカットダウンし、２４Ｖ低電圧制御回路電源が抵抗Ｒ１、Ｒ２、キャパシタＣ１、Ｃ２、ダイオードＤ５、Ｄ６および定電圧ダイオードＺＤ１を通して電源の通電線から供給される。このとき電源の正極と制御回路のゼロ線間の電位差は２４Ｖであり、これは人体の安全電圧よりはるかに低いので、人間や動物への危険がない。人体タッチパネルによって処理される電源回路はブリッジ整流回路であり、１２ＶＤＣ電源が一定＆フィルタ回路から得られる。この回路はダイオードＤ１−Ｄ４、一定ダイオードＺＤ２、抵抗Ｒ１２およびキャパシタＣ３から構成されている。
【００５４】
人体接触のメタル部分は抵抗（１ＭΩ）を介してトリオードＱ４のベース電極に接続され、人体の静電気の乱れを利用してトリオードＱ２、Ｑ４を駆動する。このときＱ３はオフであるので、シュレッダーの人体接触自動停止機能を実行するためにモータを停止することになる。
【実施例２】
【００５５】
次に、本発明に係るシュレッダー用接触安全保護装置の第２の実施例について説明する。説明は主として第１の実施例と相違する点を中心に行う。第２の実施例は、実施例１にさらに各ＬＥＤ表示等を付加したものである。
【００５６】
図２および図４の回路図に示すように、本発明の第２実施例によれば、バイオ電圧制御スイッチ回路３４は、第１スイッチトリオードＱ３を含む。この第１スイッチトリオードＱ３のベース電極は直列接続の抵抗Ｒ６とＲ７を介して導通タッチパネル３２に接続され、ベース電極は第１キャパシタＣ３とダイオードＤ４に並列接続の第２抵抗Ｒ８を介して接地されている。第１スイッチトリオードＱ３のコレクタは、並列接続の電源表示ＬＥＤと接触表示ＬＥＤ３を介して電源ＶＣＣに接続され、そのエミッタは接地スイッチ回路３５の入力制御端子に接続されている。
【００５７】
接地スイッチ回路３５はスイッチトランジスタ回路であり、第２スイッチトリオードＱ２を含み、この第２スイッチトリオードＱ２のベース電極はバイオ電圧制御スイッチ回路３４の出力端子、すなわち、第１スイッチトリオードＱ３のエミッタに接続され、第２スイッチトリオードＱ２のエミッタは接地され、そのコレクタは制御回路ユニット３の入力制御端子に接続されている。
【００５８】
図４に示すように、本発明の第２実施例によれば、シュレッダー用接触安全保護装置およびこれを備えたシュレッダーは、
（１）スイッチＬＥＤ表示、（２）接触保護ＬＥＤ表示、（３）過負荷、過負荷ＬＥＤ表示、（４）電源表示、（５）光作動書類細断、（６）書類細断、クローズおよび逆走行機能、の各機能を有している。
【００５９】
図４に示すように、抵抗Ｒ１８、Ｒ１４、Ｒ１３、Ｒ１１、Ｒ１２、ＬＥＤ１、ＬＥＤ２、ダイオードＤ１０、Ｄ９、Ｄ６、一定ダイオードＺＤ２、キャパシタＣ５およびシリコン制御整流器ＳＣＲを取り除くと、装置からは過負荷およびスイッチＬＥＤ表示機能が除かれるので、回路を中級装置に適用することができる。
【００６０】
また抵抗Ｒ１８、Ｒ１４、Ｒ１３、Ｒ１１、Ｒ１２、Ｒ１６、Ｒ１７、ＬＥＤ１、ＬＥＤ２、ＬＥＤ３、ダイオードＤ１０、Ｄ９、Ｄ６、Ｄ１２、Ｄ１３、一定ダイオードＺＤ２、キャパシタＣ５、シリコン制御整流器ＳＣＲおよびトリオードＱ４を取り除くと、装置からは過負荷、過負荷表示、電源表示およびスイッチ表示の機能が除かれるので、回路を低級装置に適用することができる。
【００６１】
さらに制御回路用電源回路は抵抗−キャパシタを利用して電圧をカットダウンし、２４Ｖ低電圧制御回路電源が抵抗Ｒ１、Ｒ２、キャパシタＣ１、Ｃ２、ダイオードＤ１、Ｄ２および定電圧ダイオードＺＤ１を通して電源の通電線から供給される。電源の正極と制御回路のゼロ線間の電位差は２４Ｖであり、これは人体の安全電圧よりはるかに低いので、人間や動物への危険がない。人体接触メタル部分は２個の抵抗Ｒ６とＲ７を介してトリオードＱ３のベース電極に接続され、人体の静電気の乱れを利用してトリオードＱ２、Ｑ３を駆動する。Ｑ１はオフであるので、書類細断機の人体接触自動停止機能を実行するためにモータを停止する。
【００６２】
ブリッジ整流回路は接触回路に電源を供給するために適用することができ、光カプラはモータ制御回路を絶縁するために使用できるので、より安定した装置動作が実現される。
【００６３】
本実施例における接触自動停止原理は次のとおりである。
【００６４】
（Ａ）シュレッダーが書類細断または逆走行状態にある場合、人体がパネルメタル部分に接触すると、抵抗Ｒ７、Ｒ６、Ｒ８、ダイオードＤ４、キャパシタＣ３はトリオードのベース電極電源回路を形成し、トリオードＱ３は導通し、トリオードＱ２はベース電極電圧に基づいて導通する。
【００６５】
トリオードＱ２が導通すると、そのコレクタ電圧は低になり、接触表示ライトと抵抗Ｒ５はループを構成し、接触表示ライトはオンになる。Ｑ５のベース電極電圧はダイオードＤ１６の導通に基づいて低になる。装置が逆走行状態にあるときは、トリオードＱ５は低ベース電極電圧に基づいてカットオフされ、装置は停止する。
【００６６】
シュレッダーが書類細断状態にあるときは、トリオードＱ１のベース電極電圧はダイオードＤ１５の導通に基づいて低になり、トリオードＱ１はカットオフされ、リレーはスイッチオフされ、細断機械部１は停止し安全保護を行なう。
【００６７】
（２）シュレッダーは人体が接触すると停止され、人体がシュレッダーから離れると、ベース電極導通電圧がないためトリオードＱ３はカットオフされ、シュレッダーは通常動作を再開する。
【００６８】
また、電源表示回路の動作原理は次のとおりである。
【００６９】
図４に示すように、電源表示ライト、抵抗Ｒ１７、Ｒ１６およびトリオードＱ４は基本的電源表示ライトを構成し、機能スイッチが停止状態にあるときは、電源表示ライトはトリードＱ４のエミッタが導通回路になっていないのでオフになる。
【００７０】
機能スイッチが逆走行位置にあるときは、トリオードＱ４のエミッタ、ダイオードＤ１２および機能スイッチは導通回路を構成し、電源表示ライトはオンになる。機能スイッチが書類細断状態にあるときは、トリオードＱ４のエミッタ、ダイオードＤ１３および機能スイッチは導通回路を構成し、電源表示ライトはオンになる。
【００７１】
上記した実施例１、２のシュレッダー用接触安全保護装置では、直列接続のバイオ電圧制御スイッチ回路３４と接地スイッチ回路３５備え、バイオ電圧制御スイッチ回路３４の入力制御端子はシュレッダーの書類投入口の導通タッチパネル３２に接続され、バイオ電圧制御スイッチ回路３４の出力端子は接地スイッチ回路３５の入力制御端子に接続され、接地スイッチ回路３５の出力端子は制御回路ユニット３の入力制御端子に接続されている。
【００７２】
これにより人体が導通タッチパネル３２に接触した場合、バイオ電圧制御スイッチ回路３４と接地スイッチ回路３５が共に人体のバイオ電流によって導通状態になり、電源スイッチがオンであっても、制御回路ユニット３の指令により、書類細断機械部１は作動を停止する。
【００７３】
そのため、本発明に係るシュレッダー用接触安全保護装置およびこれを備えたシュレッダーは、人体が偶発的障害を受けるのを保護し、リアルタイムの安全モニタが実現され、制御全体は単純な回路構成と信頼性のある操作性能によって安全かつ高感度で行なわれ、取り扱いに便利な働きをし、安全と共に幅広い利用が可能となる。
【００７４】
以上、好適な実施例を参照して本発明を具体的に図示し、説明してきたが、この分野における通常の知識を有する者ならば理解されるように、請求項に明確化されている本発明の精神と範囲から逸脱しない限り形体と細部において種々の変更が可能である。従って、当然に理解されるように、これらの実施例は単なる例示として示されたもので、これらに限定されるものではない。
【図面の簡単な説明】
【００７５】
【図１】従来技術によるシュレッダーの機能を示す回路原理図。
【図２】本発明に係るシュレッダー用接触安全保護装置を含むブロック構成図。
【図３】本発明に係るシュレッダー用接触安全保護装置の第１の実施例の回路原理図。
【図４】本発明に係るシュレッダー用接触安全保護装置の第２の実施例の回路原理図。
【図５】本発明に係るシュレッダー用接触安全保護装置の制御を示すフローチャート。
【符号の説明】
【００７６】
１  書類細断機械部
２  モータ駆動回路ユニット
３  制御回路ユニット
４  接触検出回路ユニット
５  書類投入検出回路ユニット
６  過負荷保護回路ユニット
７  モータ逆走行検出回路ユニット
８１  電源インタフェース回路
８２  安全スイッチ
８３  フューズ
８４  制御スイッチ
８５  制御回路用電源回路
８６  書類細断機能スイッチ
Ｃ７  第１キャパシタ
Ｃ８  第２キャパシタ
Ｄ４、Ｄ５、Ｄ６  ダイオード
ＩＲ１  光依存ダイオード
Ｑ２  第２スイッチトリオード
Ｑ３  第１スイッチトリオード
Ｑ４  第１スイッチトリオード
Ｒ５  第１抵抗
Ｒ６  第２抵抗
Ｒ７  第４抵抗
Ｒ８  第２抵抗
Ｒ１６  第３抵抗
Ｕ１  光カプラ
ＶＣＣ  電源
ＺＤ１  定電圧ダイオード
【図１】
2008207059.tif 000003
【図２】
2008207059.tif 000004
【図３】
2008207059.tif 000005
【図４】
2008207059.tif 000006
【図５】
2008207059.tif 000007